【手続補正書】
【提出日】平成25年10月24日(2013.10.24)
【手続補正１】
【補正対象書類名】特許請求の範囲
【補正対象項目名】全文
【補正方法】変更
【補正の内容】
【特許請求の範囲】
【請求項１】
ビット・インタリーバをＬＤＰＣ符号および変調に適合させる方法であって、
非一様並列ＡＷＧＮチャネルのビット単位容量を計算するステップと、
前記ＡＷＧＮチャネルを、消失確率を有する１組のＱ個のサロゲート２元消失チャネル（ＢＥＣ）で近似するステップと、
消失確率密度分布を用いて、復号しきい値信号対雑音比（ＳＮＲ）が、ビット・インタリーバ構成に対して最低の復号しきい値信号対雑音比をもたらすかどうかを判定するステップと、
判定した最低の復号しきい値信号対雑音比に対応するビット・インタリーバ構成に基づいて、前記ビット・インタリーバを構成するステップと、
を含む、前記方法。
【請求項２】
前記判定するステップが、
前記消失確率がゼロに収束する場合に、前記ＳＮＲを所定の刻み幅だけ低減するステップと、
前記低減したＳＮＲに対する消失確率を決定するステップと、
前記低減したＳＮＲの消失確率がゼロに収束するかどうかを判定するステップと、
前記消失確率がゼロに収束しない場合に、前記低減前のＳＮＲをビット・インタリーバ構成の復号しきい値ＳＮＲとして特定するステップと、
をさらに含む、請求項１に記載の方法。
【請求項３】
前記判定するステップが、
前記消失確率がゼロに収束しない場合に、前記ＳＮＲを所定の刻み幅だけ増加するステップと、
前記増加したＳＮＲに対する消失確率を決定するステップと、
前記増加したＳＮＲの消失確率がゼロに収束するかどうかを判定するステップと、
前記消失確率がゼロに収束する場合に、前記増加したＳＮＲをビット・インタリーバ構成の復号しきい値ＳＮＲとして特定するステップと、
をさらに含む、請求項２に記載の方法。
【請求項４】
各ビット・インタリーバ構成および対応する決定した最低の復号しきい値ＳＮＲを記憶するステップと、
ビット・インタリーバ構成を変更するステップと、
前記判定するステップを実行して、前記変更したビット・インタリーバ構成の復号しきい値ＳＮＲを決定するステップと、
前記最低の復号しきい値ＳＮＲを有するビット・インタリーバ構成を選択するステップと、
前記選択した構成を有するビット・インタリーバを構成するステップと、
をさらに含む、請求項３に記載の方法。
【請求項５】
前記計算したビット単位容量が、前記並列ＡＷＧＮチャネルの２値入力と有効出力の間の相互情報量に基づいてビット単位容量を計算するステップを含み、前記近似が、前記計算したビット単位容量の同等性に基づいて行われる、請求項１に記載の方法。
【請求項６】
前記構成したビット・インタリーバを用いて前記符号をビット・インタリーブするステップをさらに含む、請求項１に記載の方法。
【請求項７】
前記判定するステップが、前記復号しきい値ＳＮＲから、所定の線形差分方程式からモデル化された平均消失確率密度分布を決定するステップをさらに含む、請求項２に記載の方法。
【請求項８】
前記平均消失確率を決定する前記ステップが、
前記ＬＤＰＣ符号のノード／エッジ・パースペクティブ次数分布を識別するステップと、
各サブチャネルの消失確率の凸結合を行うステップと、
をさらに含む、請求項７に記載の方法。
【請求項９】
前記密度分布のモデル化が、
【数１】
2012504903.tif 000001
αl＝１−ρ（１−βl-1）
【数２】
2012504903.tif 000002
から導出される、請求項７に記載の方法。
【請求項１０】
ビット・インタリーバの次数プロファイルの最適化を制約することにより、前記復号しきい値ＳＮＲを最小にするステップをさらに含む、請求項３に記載の方法。
【請求項１１】
ビット・インタリーバをＬＤＰＣ符号および変調に適合させる装置であって、
非一様並列ＡＷＧＮチャネルのビット単位容量を計算し、前記ＡＷＧＮチャネルを１組のサロゲート２元消失チャネルで近似し、消失確率密度分布を用いて１つまたは複数のビット・インタリーバ構成のそれぞれに対して復号しきい値ＳＮＲを決定するように構成されたプロセッサであり、決定した各ＳＮＲに対して消失確率を決定するプロセッサと、
前記１つまたは複数の決定した復号しきい値ＳＮＲおよび対応するビット・インタリーバ構成を記憶するメモリと、
記憶された１つまたは複数の決定された復号しきい値ＳＮＲから選択された最低の復号しきい値ＳＮＲに対応するビット・インタリーバ構成に基づいて前記プロセッサによって構成されたビット・インタリーバと、
を備える、前記装置。
【請求項１２】
前記プロセッサが、前記決定された１つまたは複数の復号しきい値ＳＮＲから、所定の線形差分方程式からモデル化された平均消失確率密度分布をさらに決定する、請求項１１に記載の装置。
【請求項１３】
前記プロセッサが、前記並列ＡＷＧＮチャネルの２値入力と有効出力の間の相互情報量に基づいて前記ビット単位容量を計算する、請求項１１に記載の装置。
【請求項１４】
前記ビット・インタリーバが、各しきい値ＳＮＲに対応する決定された消失確率のそれぞれから導出された復号反復の復号収束条件に基づいて前記符号のビット・インタリーブを行うように構成される、請求項１１に記載の装置。
【請求項１５】
前記プロセッサが、前記ＬＤＰＣ符号のノード／エッジ・パースペクティブ次数分布を識別し、各サブチャネルの消失確率の凸結合を行うことによって、前記平均消失確率を決定する、請求項１２に記載の装置。
【請求項１６】
前記密度分布のモデル化が、
【数３】
2012504903.tif 000003
αl＝１−ρ（１−βl-1）
【数４】
2012504903.tif 000004
から導出される、請求項１２に記載の装置。
【請求項１７】
受信側ビット・インタリーバをＬＤＰＣ符号および変調に適合させる方法であって、
非一様並列ＡＷＧＮチャネルのビット単位容量を計算するステップと、
前記ＡＷＧＮチャネルを、消失確率を有する１組のＱ個のサロゲート２元消失チャネル（ＢＥＣ）で近似するステップと、
消失確率密度分布を用いて、復号しきい値信号対雑音比（ＳＮＲ）が、ビット・インタリーバ構成に対して最低の復号しきい値信号対雑音比をもたらすかどうかを判定するステップと、
判定した最低の復号しきい値信号対雑音比に対応するビット・インタリーバ構成に基づいて、前記受信側ビット・インタリーバを構成するステップと、
を含む、前記方法。
【請求項１８】
前記判定するステップが、
前記消失確率がゼロに収束する場合に、前記ＳＮＲを所定の刻み幅だけ低減するステップと、
前記低減したＳＮＲに対する消失確率を決定するステップと、
前記低減したＳＮＲの消失確率がゼロに収束するかどうかを判定するステップと、
前記消失確率がゼロに収束しない場合に、前記低減前のＳＮＲをビット・インタリーバ構成の復号しきい値ＳＮＲとして特定するステップと、
をさらに含む、請求項１７に記載の方法。
【請求項１９】
前記判定するステップが、
前記消失確率がゼロに収束しない場合に、前記ＳＮＲを所定の刻み幅だけ増加するステップと、
前記増加したＳＮＲに対する消失確率を決定するステップと、
前記増加したＳＮＲの消失確率がゼロに収束するかどうかを判定するステップと、
前記消失確率がゼロに収束する場合に、前記増加したＳＮＲをビット・インタリーバ構成の復号しきい値ＳＮＲとして特定するステップと、
をさらに含む、請求項１８に記載の方法。
【請求項２０】
各ビット・インタリーバ構成および対応する決定した最低の復号しきい値ＳＮＲを記憶するステップと、
ビット・インタリーバ構成を変更するステップと、
前記判定するステップを実行して、前記変更したビット・インタリーバ構成の復号しきい値ＳＮＲを決定するステップと、
前記最低の復号しきい値ＳＮＲを有するビット・インタリーバ構成を選択するステップと、
前記選択した構成を有するビット・インタリーバを構成するステップと、
をさらに含む、請求項１９に記載の方法。
【請求項２１】
前記計算したビット単位容量が、前記並列ＡＷＧＮチャネルの２値入力と有効出力の間の相互情報量に基づいてビット単位容量を計算するステップを含み、前記近似が、前記計算したビット単位容量の同等性に基づいて行われる、請求項１７に記載の方法。
【請求項２２】
前記構成したビット・インタリーバを用いて前記符号をビット・インタリーブするステップをさらに含む、請求項１７に記載の方法。
【請求項２３】
前記判定するステップが、前記復号しきい値ＳＮＲから、所定の線形差分方程式からモデル化された平均消失確率密度分布を決定するステップをさらに含む、請求項１８に記載の方法。
【請求項２４】
前記平均消失確率を決定する前記ステップが、
前記ＬＤＰＣ符号のノード／エッジ・パースペクティブ次数分布を識別するステップと、
各サブチャネルの消失確率の凸結合を行うステップと、
をさらに含む、請求項２３に記載の方法。
【請求項２５】
前記密度分布のモデル化が、
【数５】
2012504903.tif 000005
αl＝１−ρ（１−βl-1）
【数６】
2012504903.tif 000006
から導出される、請求項２３に記載の方法。
【請求項２６】
ビット・インタリーバの次数プロファイルの最適化を制約することにより、前記復号しきい値ＳＮＲを最小にするステップをさらに含む、請求項１９に記載の方法。
【請求項２７】
受信側ビット・インタリーバをＬＤＰＣ符号および変調に適合させる装置であって、
非一様並列ＡＷＧＮチャネルのビット単位容量を計算し、前記ＡＷＧＮチャネルを１組のサロゲート２元消失チャネルで近似し、消失確率密度分布を用いて１つまたは複数のビット・インタリーバ構成のそれぞれに対して復号しきい値ＳＮＲを決定するように構成されたプロセッサであり、決定した各ＳＮＲに対して消失確率を決定するプロセッサと、
前記１つまたは複数の決定した復号しきい値ＳＮＲおよび対応するビット・インタリーバ構成を記憶するメモリと、
記憶された１つまたは複数の決定された復号しきい値ＳＮＲから選択された最低の復号しきい値ＳＮＲに対応するビット・インタリーバ構成に基づいて前記プロセッサによって構成された受信側ビット・インタリーバと、
を備える、前記装置。
【請求項２８】
前記プロセッサが、前記決定された１つまたは複数の復号しきい値ＳＮＲから、所定の線形差分方程式からモデル化された平均消失確率密度分布をさらに決定する、請求項２７に記載の装置。
【請求項２９】
前記プロセッサが、前記並列ＡＷＧＮチャネルの２値入力と有効出力の間の相互情報量に基づいて前記ビット単位容量を計算する、請求項２７に記載の装置。
【請求項３０】
前記ビット・インタリーバが、各しきい値ＳＮＲに対応する決定された消失確率のそれぞれから導出された復号反復の復号収束条件に基づいて前記符号のビット・インタリーブを行うように構成される、請求項２７に記載の装置。
【請求項３１】
前記プロセッサが、前記ＬＤＰＣ符号のノード／エッジ・パースペクティブ次数分布を識別し、各サブチャネルの消失確率の凸結合を行うことによって、前記平均消失確率を決定する、請求項２８に記載の装置。
【請求項３２】
前記密度分布のモデル化が、
【数７】
2012504903.tif 000007
αl＝１−ρ（１−βl-1）
【数８】
2012504903.tif 000008
から導出される、請求項２８に記載の装置。